(57)【要約】【課題】主アンテナの放射パターンにグレーティングローブが発生する場合でも、メインローブ領域では主アンテナの利得を補助アンテナの利得よりも大きく、サイドローブ領域では補助アンテナの利得を主アンテナの利得よりも大きくすることができ、Ｓｉｄｅ  Ｌｏｂｅ  Ｂｌａｎｃｋｅｒを適用してグレーティングローブを除去することが可能なアンテナ装置を得ること。【解決手段】主アンテナ１のメインローブ方向に直交する同一平面上に所定間隔離れて配置された２個の素子アンテナ３ｂにより補助アンテナ２を構成し、これら２個の素子アンテナ３ｂからの高周波信号を、少なくとも受信対象周波数において同振幅且つ互いに逆相で合成する逆相合成部６を設けた。【選択図】図１
2015010823.tif 000002
【特許請求の範囲】
【請求項１】
放射パターンにグレーティングローブが発生し得る主アンテナで受信した信号と補助アンテナで受信した信号との振幅を比較してサイドローブからの受信信号を除去するＳｉｄｅ  Ｌｏｂｅ  Ｂｌａｎｃｋｅｒを適用するアンテナ装置であって、
前記補助アンテナは、
２個の素子アンテナが前記主アンテナのメインローブに直交する同一平面上に所定間隔離れて配置され、前記２個の素子アンテナが受信した信号を、少なくとも受信対象周波数において同振幅且つ互いに逆相で合成する逆相合成部を備える
ことを特徴とするアンテナ装置。
【請求項２】
前記補助アンテナを構成する２個の素子アンテナは、同一の誘電体基板上に形成され、
前記逆相合成部は、前記誘電体基板上に形成され、それぞれ前記２個の素子アンテナから引き出され接続された２本の線路からなることを特徴とする請求項１に記載のアンテナ装置。
【請求項３】
前記２本の線路は、前記補助アンテナを構成する２個の素子アンテナからそれぞれ同一方向に引き出され、前記補助アンテナを構成する２個の素子アンテナのうちの一方からの長さが、他方からの長さよりも受信対象周波数の前記誘電体基板上における管内波長の１／２長くなる位置で接続されたことを特徴とする請求項２に記載のアンテナ装置。
【請求項４】
前記２本の線路は、前記補助アンテナを構成する２個の素子アンテナからそれぞれ同一方向で互いに逆向きに引き出され、前記補助アンテナを構成する２個の素子アンテナからそれぞれ等長となる位置で接続されたことを特徴とする請求項２に記載のアンテナ装置。
【請求項５】
前記主アンテナは、Ｎ個（Ｎは２以上の整数）の放射素子、あるいは、複数個の放射素子で構成されるＮ個のアレーアンテナからなり、当該主アンテナのメインローブと直交する同一平面上に受信対象周波数の自由空間波長以上の間隔で並び配列されることを特徴とする請求項１に記載のアンテナ装置。
【請求項６】
前記補助アンテナを構成する２個の素子アンテナは、それぞれ１個の放射素子、あるいは、複数個の放射素子で構成されるアレーアンテナからなることを特徴とする請求項１〜４のいずれか一項に記載のアンテナ装置。
【請求項７】
少なくとも、前記主アンテナを構成するＮ個の前記放射素子あるいは前記アレーアンテナの配列方向と、前記補助アンテナを構成する２個の前記放射素子あるいは前記アレーアンテナの配列方向と、が一致していることを特徴とする請求項６に記載のアンテナ装置。
【発明の詳細な説明】
【技術分野】
【０００１】
本発明は、主アンテナで受信した信号と補助アンテナで受信した信号との振幅を比較してサイドローブからの受信信号を除去するサイドローブブランカ（Ｓｉｄｅ  Ｌｏｂｅ  Ｂｌａｎｃｋｅｒ）と呼ばれる技術を用いた、例えばレーダ装置に適用されるアンテナ装置に関する。
【背景技術】
【０００２】
Ｓｉｄｅ  Ｌｏｂｅ  Ｂｌａｎｃｋｅｒは、主アンテナとは別に、主アンテナのサイドローブより利得が高く、且つ主アンテナのメインローブ（主ビーム）より利得が低い補助アンテナを設けて、補助アンテナでの受信信号と主アンテナでの受信信号との振幅を比較することで、サイドローブから到来した受信信号を除去する技術である（非特許文献１）。
【０００３】
一般に、Ｓｉｄｅ  Ｌｏｂｅ  Ｂｌａｎｃｋｅｒを適用する場合、主アンテナは、メインローブとサイドローブとの利得差を大きく取るため、複数の放射素子を平面・立体的に配列し、配列内の励振分布に振幅テーパを付けて構成される。また、補助アンテナは、レーダ装置の観測領域を一様に覆う無指向性の放射パターンを得るため、放射素子１個、もしくは、レーダ装置の観測領域に対して直交する方向に複数の放射素子を１列に配列して構成される。
【０００４】
これに対し、受信対象周波数の自由空間波長λ以上の間隔で並んだ複数の主アンテナの受信信号を高周波信号で合成もしくはデジタル信号に変換後にデジタル・ビーム・フォーミング（ＤＢＦ）で合成を行う技術が開示されている（例えば、特許文献１）。
【先行技術文献】
【特許文献】
【０００５】
【特許文献１】特開平１１-２３１０４０号公報
【非特許文献】
【０００６】
【非特許文献１】Alfonso  Farina著  「Antenna-Based  Signal  Processing  Techniques  For  Radar  Systems」
【発明の概要】
【発明が解決しようとする課題】
【０００７】
しかしながら、上記特許文献１に記載された技術を用いた場合、主アンテナの放射パターンにグレーティングローブというメインローブと同等の利得を持ったサイドローブが発生する。放射パターンにグレーティングローブが発生する主アンテナに無指向性の放射パターンを有する補助アンテナを組み合わせた場合には、メインローブとグレーティングローブとを判別することができず、Ｓｉｄｅ  Ｌｏｂｅ  Ｂｌａｎｃｋｅｒを適用してグレーティングローブを除去することができない、という問題があった。
【０００８】
本発明は、上記に鑑みてなされたものであって、主アンテナの放射パターンにグレーティングローブが発生する場合でも、Ｓｉｄｅ  Ｌｏｂｅ  Ｂｌａｎｃｋｅｒを適用してグレーティングローブを除去することが可能なアンテナ装置を提供することを目的とする。
【課題を解決するための手段】
【０００９】
上述した課題を解決し、目的を達成するため、本発明にかかるアンテナ装置は、放射パターンにグレーティングローブが発生し得る主アンテナで受信した信号と補助アンテナで受信した信号との振幅を比較してサイドローブからの受信信号を除去するＳｉｄｅ  Ｌｏｂｅ  Ｂｌａｎｃｋｅｒを適用するアンテナ装置であって、前記補助アンテナは、２個の素子アンテナが前記主アンテナのメインローブに直交する同一平面上に所定間隔離れて配置され、前記２個の素子アンテナが受信した信号を、少なくとも受信対象周波数において同振幅且つ互いに逆相で合成する逆相合成部を備えることを特徴とする。
【発明の効果】
【００１０】
本発明によれば、主アンテナの放射パターンにグレーティングローブが発生する場合でも、メインローブ領域では主アンテナの利得を補助アンテナの利得よりも大きく、サイドローブ領域では補助アンテナの利得を主アンテナの利得よりも大きくすることができ、Ｓｉｄｅ  Ｌｏｂｅ  Ｂｌａｎｃｋｅｒを適用してグレーティングローブを除去することができる、という効果を奏する。
【図面の簡単な説明】
【００１１】
【図１】図１は、実施の形態１にかかるアンテナ装置の一構成例を示す図である。
【図２】図２は、実施の形態１にかかるアンテナ装置の補助アンテナの一例を示す図である。
【図３】図３は、誘電体基板上に形成した主アンテナの一例と、この主アンテナと図２に示す補助アンテナとの位置関係の一例を示す図である。
【図４】図４は、図３に示す構成の実施の形態１にかかるアンテナ装置のＳｉｄｅ  Ｌｏｂｅ  Ｂｌａｎｃｋｅｒを適用する観測面における放射パターンの一例を示す図である。
【図５】図５は、実施の形態２にかかるアンテナ装置の補助アンテナの一例を示す図である。
【図６】図６は、実施の形態３にかかるアンテナ装置の補助アンテナの一例を示す図である。
【図７】図７は、誘電体基板上に形成した主アンテナの一例と、この主アンテナと図６に示す補助アンテナとの位置関係の一例を示す図である。
【発明を実施するための形態】
【００１２】
以下に添付図面を参照し、本発明の実施の形態にかかるアンテナ装置について説明する。なお、以下に示す実施の形態により本発明が限定されるものではない。
【００１３】
実施の形態１．
図１は、実施の形態１にかかるアンテナ装置の一構成例を示す図である。実施の形態１にかかるアンテナ装置は、例えばレーダ装置等に適用され、主アンテナ１で受信した信号と補助アンテナ２で受信した信号との振幅を比較してサイドローブからの受信信号を除去するＳｉｄｅ  Ｌｏｂｅ  Ｂｌａｎｃｋｅｒを適用する構成を想定している。
【００１４】
図１に示す例において、主アンテナ１は、Ｎ個（Ｎは２以上の整数）の素子アンテナ３ａと、素子アンテナ３ａからの高周波信号の増幅、周波数変換、フィルタリング、およびＡ／Ｄ変換等を行う受信部４ａと、受信部４ａの出力信号を処理する信号処理部５とを含み構成されている。Ｎ個の素子アンテナ３ａは、例えば、主アンテナ１のメインローブ方向に直交する同一平面上に受信対象周波数の自由空間波長以上の間隔で並び配列される。これらＮ個の素子アンテナ３ａは、それぞれ１個の放射素子であってもよく、あるいは、複数個の放射素子を配列したアレーアンテナで構成されていてもよい。
【００１５】
補助アンテナ２は、主アンテナのメインローブ方向に直交する同一平面上に所定間隔ｄ離れて配置された２個の素子アンテナ３ｂと、これら２個の素子アンテナ３ｂからの高周波信号を、少なくとも受信対象周波数において同振幅且つ互いに逆相で合成する逆相合成部６と、素子アンテナ３ｂからの高周波信号の増幅、周波数変換、フィルタリング、およびＡ／Ｄ変換等を行う受信部４ｂとを含み構成されている。素子アンテナ３ｂは、Ｓｉｄｅ  Ｌｏｂｅ  Ｂｌａｎｃｋｅｒを適用する観測面において、それぞれ無指向性の放射パターンを有している。これら２個の素子アンテナ３ｂは、それぞれ１個の放射素子であってもよく、あるいは、複数個の放射素子を配列したアレーアンテナで構成されていてもよい。
【００１６】
図２は、実施の形態１にかかるアンテナ装置の補助アンテナを誘電体基板上に形成した例を示す図である。図２（ａ）は、補助アンテナ２を形成した誘電体基板１０ａ上のｘ−ｙ平面を見た図であり、図２（ｂ）は、誘電体基板１０ａをｘ方向に見た断面図である。また、図２に示す例では、Ｓｉｄｅ  Ｌｏｂｅ  Ｂｌａｎｃｋｅｒを適用する観測面がｘ方向に直交した例を示している。
【００１７】
図２において、誘電体基板１０ａ上に設けられたパッチアンテナ（放射素子）１１，１２が素子アンテナ３ｂに相当し、マイクロストリップ線路１３ａ，１３ｂが逆相合成部６に相当する。また、各パッチアンテナ１１，１２および各マイクロストリップ線路１３ａ，１３ｂが形成された面の誘電体層１４を介した裏面には、地導体１５が形成されている。
【００１８】
各パッチアンテナ１１，１２は、ｙ方向に所定間隔ｄ離れて並び配列されている。図２に示す例では、上述したように、Ｓｉｄｅ  Ｌｏｂｅ  Ｂｌａｎｃｋｅｒを適用する観測面がｘ方向に直交した例を示しているので、ｚ方向が主アンテナ１のメインローブ方向となる。また、各マイクロストリップ線路１３ａ，１３ｂは、それぞれパッチアンテナ１１，１２からそれぞれ同一方向（図２に示す例ではｙ方向）に引き出され、パッチアンテナ１１からの長さが、パッチアンテナ１２からの長さよりも受信対象周波数の誘電体基板上における管内波長λｇの略１／２長くなる位置で接続されている。
【００１９】
このような構成とすることで、各パッチアンテナ１１，１２においてそれぞれ受電した信号は、受信対象周波数において各マイクロストリップ線路１３ａ，１３ｂの接続点で互いに逆相で合成され、Ｓｉｄｅ  Ｌｏｂｅ  Ｂｌａｎｃｋｅｒを適用する観測面の正面方向（ｚ方向に対して角度０度）付近で減衰する。
【００２０】
図３は、誘電体基板上に形成した主アンテナの一例と、この主アンテナと図２に示す補助アンテナとの位置関係の一例を示す図である。なお、パッチアンテナ３ａ，３ｂに接続されるマイクロストリップ線路については図示を省略している。図３に示す例では、主アンテナ１は、誘電体基板１０ｂ上において、メインローブ方向に直交する同一平面上（図３に示す例ではｘ−ｙ平面）に受信対象周波数の自由空間波長λの間隔で４個の素子アンテナ３ａに相当する各パッチアンテナ１６，１７，１８，１９をｙ方向に配列して構成した例を示している。また、補助アンテナ２は、主アンテナ１のメインローブ方向に直交する同一平面上（図３に示す例ではｘ−ｙ平面）に所定間隔ｄ＝λ／２で素子アンテナ３ｂに相当する各パッチアンテナ１１，１２をｙ方向に配列して構成した例を示している。
【００２１】
主アンテナ１が図３に示す構成である場合には、少なくとも主アンテナ１を構成する各素子アンテナ３ａの配列方向と補助アンテナ２を構成する各素子アンテナ３ｂの配列方向とが一致（図３に示す例ではｙ方向）していればよく、補助アンテナ２が形成された誘電体基板１０ａと主アンテナ１が形成された誘電体基板１０ｂとの位置関係により本発明が限定されるものではない。なお、ここでいう「一致」とは、完全に一致していることを示すものではなく、上述したＳｉｄｅ  Ｌｏｂｅ  Ｂｌａｎｃｋｅｒを適用する際に問題とならない範囲内で略一致していればよい。
【００２２】
図４は、図３に示す構成の実施の形態１にかかるアンテナ装置のＳｉｄｅ  Ｌｏｂｅ  Ｂｌａｎｃｋｅｒを適用する観測面における放射パターンの一例を示す図である。図４に示す例において、図３に示す主アンテナ１の放射パターンを実線で示し、Ｓｉｄｅ  Ｌｏｂｅ  Ｂｌａｎｃｋｅｒを適用する観測面において無指向性の放射パターンを有する従来の補助アンテナの放射パターンを破線で示し、図３に示す実施の形態１の補助アンテナ２の放射パターンを一点鎖線で示している。この図４では、主アンテナ１の正面方向（ｚ方向に対して角度０度）における利得、つまり、メインローブ領域における主アンテナ１の利得で規格化した振幅を縦軸にしている。
【００２３】
Ｓｉｄｅ  Ｌｏｂｅ  Ｂｌａｎｃｋｅｒを適用する場合、メインローブ領域における主アンテナ１の利得を補助アンテナ２の利得よりも大きく、且つ、グレーティングローブが発生している角度±７０度付近における補助アンテナ２の利得を主アンテナ１の利得よりも大きくなるように、各受信部４ａ，４ｂの増幅度を調整する。
【００２４】
図４に示す例では、主アンテナ１の放射パターン（図４に示す実線）において、角度±７０度付近で最大利得となるサイドローブ、所謂グレーティングローブが発生している。このような場合には、従来の補助アンテナの放射パターン（図４に示す破線）では、上述のように各受信部４ａ，４ｂの増幅度を調整するのは困難であり、Ｓｉｄｅ  Ｌｏｂｅ  Ｂｌａｎｃｋｅｒを適用してグレーティングローブを除去することができない。
【００２５】
本実施の形態の補助アンテナ２では、図４において一点鎖線で示すように、メインローブ領域における受信対象周波数の信号は、逆相合成部６において逆相で合成され、Ｓｉｄｅ  Ｌｏｂｅ  Ｂｌａｎｃｋｅｒを適用する観測面の正面方向（ｚ方向に対して角度０度）付近で減衰するので、上述のように各受信部４ａ，４ｂの増幅度を調整することが可能である。つまり、Ｓｉｄｅ  Ｌｏｂｅ  Ｂｌａｎｃｋｅｒを適用してグレーティングローブを除去することができる。
【００２６】
以上説明したように、実施の形態１のアンテナ装置によれば、主アンテナのメインローブ方向に直交する同一平面上に所定間隔離れて配置された２個の素子アンテナにより補助アンテナを構成し、これら２個の素子アンテナからの高周波信号を、少なくとも受信対象周波数において同振幅且つ互いに逆相で合成する逆相合成部を設けたので、主アンテナの放射パターンにグレーティングローブが発生する場合でも、メインローブ領域では主アンテナの利得を補助アンテナの利得よりも大きく、且つ、サイドローブ領域では補助アンテナの利得を主アンテナの利得よりも大きくすることができ、Ｓｉｄｅ  Ｌｏｂｅ  Ｂｌａｎｃｋｅｒを適用してグレーティングローブを除去することができる。
【００２７】
また、２個の素子アンテナを同一の誘電体基板上に形成し、これら２個の素子アンテナから同一方向にそれぞれマイクロストリップ線路を引き出し、一方のマイクロストリップ線路の長さが、他方のマイクロストリップ線路の長さよりも受信対象周波数の波長の略１／２長くなる位置で接続して逆相合成部を構成することにより、受信対象周波数において同振幅且つ互いに逆相で合成することができる。
【００２８】
実施の形態２．
実施の形態２にかかるアンテナ装置の構成は、実施の形態１にかかるアンテナ装置と同一であるので、ここでは説明を省略する。
【００２９】
図５は、実施の形態２にかかるアンテナ装置の補助アンテナの一例を示す図である。図５（ａ）は、補助アンテナ２を形成した誘電体基板１０上のｘ−ｙ平面を見た図であり、図５（ｂ）は、誘電体基板１０をｘ方向に見た断面図である。また、図５に示す例では、Ｓｉｄｅ  Ｌｏｂｅ  Ｂｌａｎｃｋｅｒを適用する観測面がｘ方向に直交した例を示している。
【００３０】
図５において、誘電体基板１０ａ上に設けられたパッチアンテナ（放射素子）１１，１２が素子アンテナ３ｂに相当し、マイクロストリップ線路１３ａ，１３ｂが逆相合成部６に相当する。また、各パッチアンテナ１１，１２および各マイクロストリップ線路１３ａ，１３ｂが形成された面の誘電体層１４を介した裏面には、地導体１５が形成されている。
【００３１】
各パッチアンテナ１１，１２は、ｙ方向に所定間隔ｄ離れて並び配列されている。図５に示す例では、上述したように、Ｓｉｄｅ  Ｌｏｂｅ  Ｂｌａｎｃｋｅｒを適用する観測面がｘ方向に直交した例を示しているので、ｚ方向が主アンテナ１のメインローブ方向となる。また、各マイクロストリップ線路１３ａ，１３ｂは、それぞれパッチアンテナ１１，１２からそれぞれ同一方向（図５に示す例ではｙ方向）で互いに逆向きに引き出され、パッチアンテナ１１からの長さとパッチアンテナ１２からの長さとが略等長となる位置で接続されている。
【００３２】
このような構成とすることで、各パッチアンテナ１１，１２においてそれぞれ受電した信号は、受信対象周波数によらず、各マイクロストリップ線路１３ａ，１３ｂの接続点で互いに逆相で合成され、Ｓｉｄｅ  Ｌｏｂｅ  Ｂｌａｎｃｋｅｒを適用する観測面の正面方向（ｚ方向に対して角度０度）付近で減衰する。
【００３３】
以上説明したように、実施の形態２のアンテナ装置によれば、２個の素子アンテナを同一の誘電体基板上に形成し、これら２個の素子アンテナからそれぞれ同一方向で互いに逆向きにマイクロストリップ線路を引き出し、双方のマイクロストリップ線路の長さが略等長となる位置で接続して逆相合成部を構成することにより、受信対象周波数によらず、実施の形態１において説明した図４の一点鎖線で示す放射パターンを得ることができ、Ｓｉｄｅ  Ｌｏｂｅ  Ｂｌａｎｃｋｅｒを適用してグレーティングローブを除去することができる。
【００３４】
実施の形態３．
実施の形態１，２では、補助アンテナの２個の素子アンテナをそれぞれ１個の放射素子に相当する１個のパッチアンテナで構成する例について説明したが、本実施の形態では、２個の素子アンテナを、それぞれ複数個の放射素子に相当する複数個のパッチアンテナを配列したアレーアンテナで構成する例について説明する。なお、実施の形態３にかかるアンテナ装置の構成は、実施の形態１，２にかかるアンテナ装置と同一であるので、ここでは説明を省略する。
【００３５】
図６は、実施の形態３にかかるアンテナ装置の補助アンテナの一例を示す図である。図６に示す例では、Ｓｉｄｅ  Ｌｏｂｅ  Ｂｌａｎｃｋｅｒを適用する観測面がｘ方向に直交した例を示している。
【００３６】
図６（ａ）は、２個の素子アンテナ３ｂをそれぞれ構成する複数個（図６（ａ）に示す例では８個）ずつのパッチアンテナ（放射素子）１１，１２で（図６（ａ）に示す例では１６素子）アレーアンテナを構成し、各パッチアンテナ１１，１２からそれぞれ同一方向（図６に示す例ではｙ方向）に各マイクロストリップ線路１３ａ，１３ｂを引き出し、各パッチアンテナ１１から引き出されたマイクロストリップ線路１３ａの長さが、各パッチアンテナ１２から引き出されたマイクロストリップ線路１３ｂの長さよりも受信対象周波数の誘電体基板上における管内波長λｇの略１／２長くなる位置で接続された例を示している。なお、この図６（ａ）に示す例においても、実施の形態１，２と同様に、ｚ方向が主アンテナ１のメインローブ方向となる。
【００３７】
このような構成とすることで、２個の各素子アンテナ３ｂにおいてそれぞれ受電した信号は、受信対象周波数において各マイクロストリップ線路１３ａ，１３ｂの接続点で互いに逆相で合成され、Ｓｉｄｅ  Ｌｏｂｅ  Ｂｌａｎｃｋｅｒを適用する観測面の正面方向（ｚ方向に対して角度０度）付近で減衰する。
【００３８】
また、図６（ｂ）は、２個の素子アンテナ３ｂをそれぞれ構成する複数個（図６（ｂ）に示す例では８個）ずつのパッチアンテナ（放射素子）１１，１２で（図６（ｂ）に示す例では１６素子）アレーアンテナを構成し、各パッチアンテナ１１，１２からそれぞれ同一方向（図６に示す例ではｙ方向）で互いに逆向きに各マイクロストリップ線路１３ａ，１３ｂを引き出し、各パッチアンテナ１１から引き出されたマイクロストリップ線路１３ａの長さと各パッチアンテナ１２から引き出されたマイクロストリップ線路１３ｂの長さとが略等長となる位置で接続された例を示している。なお、この図６（ｂ）に示す例においても、実施の形態１，２と同様に、ｚ方向が主アンテナ１のメインローブ方向となる。
【００３９】
このような構成とすることで、２個の各素子アンテナ３ｂにおいてそれぞれ受電した信号は、受信対象周波数によらず、各マイクロストリップ線路１３ａ，１３ｂの接続点で互いに逆相で合成され、Ｓｉｄｅ  Ｌｏｂｅ  Ｂｌａｎｃｋｅｒを適用する観測面の正面方向（ｚ方向に対して角度０度）付近で減衰する。
【００４０】
また、図６（ａ），図６（ｂ）に示す構成とすることで、アレーアンテナを構成するパッチアンテナの数（放射素子数）で補助アンテナ２の利得を調整することができ、上述したＳｉｄｅ  Ｌｏｂｅ  Ｂｌａｎｃｋｅｒを適用する際の利得調整の自由度を増すことができる。
【００４１】
図７は、誘電体基板上に形成した主アンテナの一例と、この主アンテナと図６に示す補助アンテナとの位置関係の一例を示す図である。なお、パッチアンテナ３ａ，３ｂに接続されるマイクロストリップ線路については図示を省略している。図７に示す例では、主アンテナ１は、４個の素子アンテナ３ａをそれぞれ構成する複数個（図７に示す例では８個）ずつのパッチアンテナ（放射素子）１６，１７，１８，１９で（図７に示す例では３２素子）アレーアンテナを構成した例を示している。また、補助アンテナ２は、２個の素子アンテナ３ｂをそれぞれ構成する複数個（図７に示す例では８個）ずつのパッチアンテナ（放射素子）１１，１２で（図７に示す例では１６素子）アレーアンテナを構成した例を示している。
【００４２】
主アンテナ１が図７に示す構成である場合には、少なくとも主アンテナ１を構成する各素子アンテナ３ａの配列方向と補助アンテナ２を構成する各素子アンテナ３ｂの配列方向とが一致（図７に示す例ではｙ方向）していればよく、補助アンテナ２が形成された誘電体基板１０ａと主アンテナ１が形成された誘電体基板１０ｂとの位置関係により本発明が限定されるものではない。なお、ここでいう「一致」とは、完全に一致していることを示すものではなく、上述したＳｉｄｅ  Ｌｏｂｅ  Ｂｌａｎｃｋｅｒを適用する際に問題とならない範囲内で略一致していればよい。
【００４３】
以上説明したように、実施の形態３のアンテナ装置によれば、２個の素子アンテナを、それぞれ複数個の放射素子に相当する複数個のパッチアンテナを配列したアレーアンテナで構成することにより、このアレーアンテナを構成するパッチアンテナの数（放射素子数）で補助アンテナの利得を調整することができ、Ｓｉｄｅ  Ｌｏｂｅ  Ｂｌａｎｃｋｅｒを適用する際の利得調整の自由度を増すことができる。
【００４４】
また、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００４５】
以上のように、本発明は、主アンテナで受信した信号と補助アンテナで受信した信号との振幅を比較してサイドローブからの受信信号を除去するＳｉｄｅ  Ｌｏｂｅ  Ｂｌａｎｃｋｅｒを適用するアンテナ装置として有用であり、特に、主アンテナの放射パターンにグレーティングローブが発生する構成に適している。
【符号の説明】
【００４６】
１  主アンテナ、２  補助アンテナ、３ａ  素子アンテナ（主アンテナ）、３ｂ  素子アンテナ（補助アンテナ）、４ａ  受信部（主アンテナ）、４ｂ  受信部（補助アンテナ）、５  信号処理部、６  逆相合成部、１０ａ，１０ｂ  誘電体基板、１１，１２，１６，１７，１８，１９  パッチアンテナ（放射素子）、１３ａ，１３ｂ  マイクロストリップ線路、１４  誘電体層、１５  地導体。
【図１】
2015010823.tif 000003
【図２】
2015010823.tif 000004
【図３】
2015010823.tif 000005
【図４】
2015010823.tif 000006
【図５】
2015010823.tif 000007
【図６】
2015010823.tif 000008
【図７】
2015010823.tif 000009